(57)【要約】【課題】  後面に備える接続端子に接続ケーブルを着脱する電子機器を収納する収納ラックにおいて、収納ラックの前方に障害物があっても簡単に接続ケーブルの着脱作業をすることができると共に、電子機器の奥行きの長さが収納ラックの奥行きの長さより短い場合でも簡単に接続ケーブルの着脱作業をすることができる収納ラックを提供する。【解決手段】  上面に円形状の凹部を備え当該凹部の略中央に上方に突出する円筒部を備える棚板と、円盤型を成し上面に直線状の凸部を備え下面の略中央に孔を備え当該孔へ前記円筒部が挿入されることにより前記円筒部を軸に自在に回動する回動部と、円盤型を成し下面に凸部に嵌合する溝部を備え当該凸部の長手方向へ自在にスライドする円盤部とを備え、前記円盤部は、上面に前記溝部に対して垂直方向に分割可能な複数の切り欠きを備える。【選択図】      図２
2006271578.tif 000002
【特許請求の範囲】
【請求項１】
上面に円形状の凹部を備え当該凹部の略中央に上方に突出する円筒部を備える棚板と、円盤型を成し上面に直線状の凸部を備え下面の略中央に孔を備え当該孔へ前記円筒部が挿入されることにより前記円筒部を軸に自在に回動する回動部と、円盤型を成し下面に前記凸部に嵌合する溝部を備え当該凸部の長手方向へ自在にスライドする円盤部とを備え、
前記円盤部は、上面に前記溝部に対して垂直方向に分割可能な複数の切り欠きを備えることを特徴とする収納ラック。
【発明の詳細な説明】
【技術分野】
【０００１】
本発明は、オーディオ信号増幅装置等の電子機器を棚板に収納する収納ラックに関する。
【背景技術】
【０００２】
図１１は、従来の収納ラックを示す斜視図である。
収納ラック１００は、底板２、２つの側板３、天板４及び棚板５０を備える。底板２、側板３、天板４及び棚板５０は、それぞれ薄い平板である。底板２、天板４は、図示しない接着剤又はねじ止めにより、それぞれ側板３の内面の下端及び上端に固定され、棚板５０は、側板３の内面の中央部に固定される。棚板５０の上面には、電子機器、例えば、オーディオ信号増幅装置９が載置される。
【０００３】
オーディオ信号増幅装置９は、直方体であり、前面に前面パネル９０１を備え、後面に後面パネル９０２を備える。前面パネル９０１は、前方へ突出し自在に回動するノブ９０３を備える。オーディオ信号増幅装置９は、後面パネル９０２に図示しない複数の接続端子を備え、当該接続端子に図示しない着脱可能な接続ケーブルが接続されることによって図示しない再生装置及びスピーカ装置と電気的に接続される。オーディオ信号増幅装置９は、接続ケーブルを介して再生装置から出力されたオーディオ信号を増幅し、スピーカに接続された接続ケーブルを介して当該増幅したオーディオ信号をスピーカへ出力する。オーディオ信号増幅装置９は、ノブ９０３が回動されることにより、再生装置から出力されたオーディオ信号の増幅度を増減させる。
このように、従来の収納ラック１００は、再生装置及びスピーカ装置と接続ケーブルによって接続されたオーディオ信号増幅装置９を棚板５０の上面に載置することによって、オーディオ信号増幅装置９を収納する。
【０００４】
前述したような再生装置、オーディオ信号増幅装置及びスピーカ装置を用いて音楽を聴取するユーザは、新たに他の再生装置を追加し、この追加した再生装置によって再生したオーディオ信号をオーディオ信号増幅装置９によって増幅させたい場合や、オーディオ信号増幅装置９に接続されたスピーカ装置を他のスピーカ装置に交換したい場合がある。この場合、ユーザは、オーディオ信号増幅装置９の後面パネル９０２に備える接続端子に新たな接続ケーブルを追加して接続したり、既に接続されている接続ケーブルを他の接続ケーブルに交換する必要がある。
【０００５】
通常、収納ラック１００は、後面を部屋の壁に近接させた位置に設置される。このため、ユーザは、オーディオ信号増幅装置９に接続する接続ケーブルを追加する場合や接続した接続ケーブルを他の接続ケーブルに交換する場合、オーディオ信号増幅装置９の後面パネル９０２がユーザから見える状態となるように、収納ラック１００からオーディオ信号増幅装置９を取り出し、接続端子に新たな接続ケーブルを追加して接続したり他の接続ケーブルに交換し、この後、再度、このオーディオ信号増幅装置９を棚板５０の上面に載置させる作業が必要となる。このため、ユーザにとっては、オーディオ信号増幅装置９を収納ラック１００から取り出す作業や、再度、収納ラック１００の棚板５０にオーディオ信号増幅装置９を載置させるという作業が非常に煩わしいものとなる。特に、オーディオ信号増幅装置９が非常に重い場合は、ユーザの作業の負担は更に大きくなり、ユーザの不注意によってオーディオ信号増幅装置９を棚板５０から脱落させてしまったり、オーディオ信号増幅装置９の取り出し作業中に、誤って接続ケーブルを引っかけてしまい、接続ケーブルや接続端子を破損する虞がある。
【０００６】
収納ラックへ収納した電子機器の後面パネルに備える接続端子に新たな接続ケーブルを接続したり、接続する接続ケーブルを他の接続ケーブルに交換する際のユーザの負担を軽減する収納ラックとして、電子機器を載置した収納ラックを前方へ移動させることが可能なものがある（例えば、特許文献１参照）。この収納ラックによれば、レールを備える部材を収納ラックの前方へ引き出した後、このレールによって収納ラック自体を前方に移動させることにより、収納ラックに載置されている電子機器の後面に備えた接続端子への接続ケーブルの着脱を簡単に行うことが可能となる。
【０００７】
【特許文献１】特開平５−０３７１７１号公報
【発明の開示】
【発明が解決しようとする課題】
【０００８】
しかしながら、特許文献１に開示されている収納ラックは、載置されている電子機器の後面に備える接続端子に新たな接続ケーブルを接続したり、他の接続ケーブルに交換しようとする場合、収納ラック自体を前方へ移動させる必要があることから、収納ラックの前方に障害物、例えば、ユーザが用いるテーブルが設置されている場合、このテーブルを収納ラックの前方の位置から他の位置に移動させてからでないと、収納ラック自体を前方へ移動させることができない。このため、ユーザは、収納ラックの前方に設置されたテーブルを他の場所に移動させるという作業が必要となり、この作業が煩わしいものとなる。
【０００９】
また、収納ラックに電子機器を収納する場合、収納ラックに収納された電子機器の前方からの見栄えを良くするために、通常、電子機器の前端の位置が収納ラックの前端の位置と略同一となるように当該電子機器を配設する。このため、収納ラックに収納する電子機器の前後方向の長さが、収納ラックの前後方向の長さより短い場合、電子機器の前端の位置が収納ラックの前端の位置と略同一となるように電子機器を配設して収納すると、電子機器の後端の位置は、収納ラックの後端の位置よりも前方となる。このため、特許文献１に開示された収納ラックによって、前述したような前後方向の長さが収納ラックより短い電子機器の後面に備える接続端子に接続ケーブルを着脱しようとする場合、収納ラックを前方に移動し、収納ラックの後方から接続ケーブルの着脱作業を行なおうとしても、手や腕が収納ラックの後端部分に当たってしまい、接続ケーブルの着脱作業が困難となってしまう。
【００１０】
本発明は、上記の課題を解決するためになされたものであり、後面に備える接続端子に接続ケーブルを着脱する電子機器を収納する収納ラックにおいて、収納ラックの前方に障害物があっても簡単に接続ケーブルの着脱作業をすることができると共に、電子機器の奥行きの長さが収納ラックの奥行きの長さより短い場合でも簡単に接続ケーブルの着脱作業をすることができる収納ラックを提供することを目的とする。
【課題を解決するための手段】
【００１１】
本願の請求項１記載の発明は、収納ラックにおいて、上面に円形状の凹部を備え当該凹部の略中央に上方に突出する円筒部を備える棚板と、円盤型を成し上面に直線状の凸部を備え下面の略中央に孔を備え当該孔へ前記円筒部が挿入されることにより前記円筒部を軸に自在に回動する回動部と、円盤型を成し下面に前記凸部に嵌合する溝部を備え当該凸部の長手方向へ自在にスライドする円盤部とを備え、前記円盤部は、上面に前記溝部に対して垂直方向に分割可能な複数の切り欠きを備えることを特徴とする。
【発明の効果】
【００１２】
本発明によれば、後面に備える接続端子に接続ケーブルを着脱する電子機器を収納する収納ラックにおいて、収納ラックの前方に障害物があっても簡単に接続ケーブルの着脱作業をすることができると共に、電子機器の奥行きの長さが収納ラックの奥行きの長さより短い場合でも簡単に接続ケーブルの着脱作業をすることができる収納ラックを提供することができる。
【発明を実施するための最良の形態】
【００１３】
本発明の実施の形態を図面を参照して説明する。なお、従来技術で示した構成要素と同一の部分については同符号を用いる。
【００１４】
図１は、本発明の収納ラックの一実施例の構成を示す斜視図である。
収納ラック１は、底板２、２つの側板３、天板４及び棚板５を備える。底板２、側板３、天板４及び棚板５は、それぞれ薄い平板である。底板２、天板４は、図示しない接着剤又はねじ止め止めにより、それぞれ側板３の内側面の下端及び上端に固定され、棚板５は、側板３の内側面の中央部に固定される。
【００１５】
オーディオ信号増幅装置９は、直方体であり、前面に前面パネル９０１を備え、後面に後面パネル９０２を備える。前面パネル９０１は、前方へ突出し自在に回動するノブ９０３を備える。オーディオ信号増幅装置９は、後面パネル９０２に図示しない複数の接続端子を備え、当該接続端子に図示しない着脱可能な接続ケーブルが接続されることによって図示しない再生装置及びスピーカ装置と電気的に接続される。オーディオ信号増幅装置９は、接続ケーブルを介して再生装置から出力されたオーディオ信号を増幅し、スピーカに接続された接続ケーブルを介して当該増幅したオーディオ信号をスピーカに出力する。オーディオ信号増幅装置９は、ノブ９０３が回動されることにより、再生装置から出力されたオーディオ信号の増幅度を増減させる。
【００１６】
図２は、棚板５の上面部分の構成を示す斜視図である。
収納ラック１は、棚板５の上面に回動部６及び円盤部７を備える。本実施例の収納ラック１は、棚板５の上面に回動部６及び円盤部７を備える構成としたが、図１に示す底板２の上面にも回動部６及び円盤部７を備える構成としても良い。
【００１７】
棚板５は、上面に円形の凹部５０１を備える。凹部５０１の底面の略中央の位置には、上方へ突出した円筒型を成す円筒部５０２を備える。回動部６は、外径が凹部５０１の内径より小さい円盤型を成し、上面に断面が長方形で直線状を形成する凸部６０２を備える。回動部６は、下面の略中央の位置に下方へ開口し、内径が凸部６０２の外径より僅かに大きい孔６０１を備える。回動部６は、孔６０１に円筒部５０２が挿入されることにより、円筒部５０２を軸として自在に回動する。
【００１８】
円盤部７は、外径が回動部６の外径と略同じ円盤型を成し、下面に回動部６の凸部６０２と嵌合する溝部７０１を備える。円盤部７は、溝部７０１が凸部６０２と嵌合することにより、回動部６の凸部６０２に沿って自在にスライドする。円盤部７は、表面に溝部７０１に対して垂直な方向に直線状を成す６本の切り欠き７０２を備える。
【００１９】
図３は、円盤部７の構成を示す上面図である。図３においては、下方を円盤部７の前方とし、上方を円盤部７の後方とする。
円盤部７は、前後方向（図３の上下方向）へ引っ張ることにより、図３に示すように、第１の部材８０１〜第７の部材８０７に分割させることが可能となる。図３に示すように、第１の部材８０１の前端から後端までの長さをＡとし、第２の部材８０２及び第３の部材８０３の前端から後端までの長さをＢとし、第４の部材８０４及び第５の部材８０５の前端から後端までの長さをＣとし、第６の部材８０６及び第７の部材８０７の前端から後端までの長さをＤとする。
【００２０】
図４は、棚板５の円筒部５０２に回動部６の孔６０１が挿入され、回動部６の凸部６０２に円盤部７の溝部７０１が嵌合した状態を示す図で、図４（ａ）は上面図、図４（ｂ）は、図４（ａ）の収納ラック１を正面から見たときの断面図である。
図４（ａ）に示すように、回動部６の上面は、棚板５の上面より僅かに高い。円盤部７は、回動部６が円筒部５０２を軸として回動することにより、同様に回動する。
【００２１】
図５は、収納ラック１にオーディオ信号増幅装置９が収納された状態を示す図で、図５（ａ）は上面図、図５（ｂ）は、図５（ａ）の収納ラック１を正面から見たときの断面図である。本実施例において、オーディオ信号増幅装置９の前後方向の長さは、円盤部７を分割した際の第１の部材８０１の前端から後端までの長さより僅かに小さいものとする。
【００２２】
オーディオ信号増幅装置９の前後方向の長さが、図３に示す第１の部材８０１の前端から後端までの長さＡより僅かに小さい場合は、先ず、円盤部７を分割し、第１の部材８０１のみを取り出す。次に、第１の部材８０１の下面に備える溝部７０１を回動部６の凸部６０２に嵌合させる。このとき、図５（ａ）及び図５（ｂ）に示すように、第１の部材８０１は、前端の位置が回動部６の前部の位置となるようにする。次に、オーディオ信号増幅装置９を第１の部材８０１の上面に載置する。
【００２３】
図６は、収納ラック１の第１の部材８０１にオーディオ信号増幅装置９が載置された様子を示す図で、図６（ａ）は、図５（ａ）の状態から第１の部材８０１を後方へスライドさせた状態を示す上面図、図６（ｂ）は、図６（ａ）の状態から回動部６を１８０°回転させた状態を示す上面図である。
図７は、図６（ｂ）の状態から第１の部材８０１を前方へスライドさせた状態を示す上面図である。
【００２４】
オーディオ信号増幅装置９の後面パネル９０２に備える図示しない接続端子への接続ケーブルの着脱をする場合は、先ず、図５（ａ）の状態から、第１の部材８０１を後方へ押圧し、図６（ａ）に示すように、第１の部材８０１の略中央の位置が回動部６の略中央の位置となるように後方へスライドさせる。次に、図６（ｂ）に示すように、円筒部５０２を軸として回動部６を１８０°回転させる。すると、回動部６の上面に載置された第１の部材８０１及びオーディオ信号増幅装置９も同様に円筒部５０２を軸として１８０°回転する。次に、第１の部材８０１を前方へ引き、図７に示すように、第１の部材８０１を前方へスライドさせる。
【００２５】
これにより、ユーザは、収納ラック１の前方でオーディオ信号増幅装置９の後面パネル９０２に備える接続端子に接続ケーブルを着脱することができる。このとき、後面パネル９０２の表面を収納ラック１の前端より前方へスライドさせることができるので、接続ケーブルの着脱作業を簡単に行うことができる。
【００２６】
後面パネル９０２の接続端子への接続ケーブルの着脱作業が終了した後は、前述した順序と逆の順序で第１の部材８０１をスライド及び回転させることによって、図５に示すように、オーディオ信号増幅装置９のノブ９０３の先端の位置が棚板５の前端の位置と略同一となった元の位置へ戻すことができる。
【００２７】
図８は、収納ラック１に前述したオーディオ信号増幅装置９よりも前後方向の長さが長いオーディオ信号増幅装置１０が収納された状態を示す図で、図８（ａ）は上面図、図８（ｂ）は、図８（ａ）の収納ラック１を正面から見たときの断面図である。
【００２８】
前後方向の長さが、前述したオーディオ信号増幅装置９より長く、図３に示すように、第５の部材８０５の前端から第４の部材８０４の後端までの長さ、つまり、長さ＝（Ａ＋２Ｂ＋２Ｃ）より僅かに小さいオーディオ信号増幅装置１０を収納ラック１に収納する場合は、先ず、円盤部７から第６の部材８０６及び第７の部材８０７のみを分割し、その他の部材、つまり、第１の部材８０１〜第５の部材８０５を分割しない状態のままとする。本実施例においては、この第１の部材８０１〜第５の部材８０５の部材を分割円盤部８１とする。
【００２９】
次に、分割円盤部８１の下面に備える溝部７０１を回動部６の凸部６０２に嵌合させる。このとき、図８（ａ）及び図８（ｂ）に示すように、分割円盤部８１の前端の位置が回動部６の前部の位置となるようにする。次に、オーディオ信号増幅装置１０を分割円盤部８１の上面に載置する。
【００３０】
図９は、収納ラック１の分割円盤部８１にオーディオ信号増幅装置１０が載置された様子を示す図で、図９（ａ）は、図８（ａ）の状態から分割円盤部８１を後方へスライドさせた状態を示す上面図、図９（ｂ）は、図９（ａ）の状態から回動部６を１８０°回転させた状態を示す上面図である。
図１０は、図９（ｂ）の状態から分割円盤部８１を前方へスライドさせた状態を示す上面図である。
【００３１】
オーディオ信号増幅装置１０の後面パネル１０２に備える図示しない接続端子への接続ケーブルの着脱作業をする場合は、先ず、図８（ａ）の状態から、分割円盤部８１を後方へ押圧し、図９（ａ）に示すように、分割円盤部８１の略中央の位置が回動部６の略中央の位置となるように後方へスライドさせる。次に、図９（ｂ）に示すように、円筒部５０２を軸として回動部６を１８０°回転させる。すると、回動部６の上面に載置された分割円盤部８１及びオーディオ信号増幅装置１０も同様に円筒部５０２を軸として１８０°回転する。次に、分割円盤部８１を前方へ引き、図１０に示すように、分割円盤部８１の前端の位置が回動部６の前部の位置となるよう前方へスライドさせる。
【００３２】
これにより、ユーザは、収納ラック１の前方でオーディオ信号増幅装置１０の後面パネル１０２に備える図示しない接続端子への接続ケーブルの着脱作業をすることができる。このとき、後面パネル９０２の表面を収納ラック１の前端より前方へスライドさせることができるので、接続ケーブルの着脱作業を簡単に行うことができる。
【００３３】
後面パネル９０２の接続端子への接続ケーブルの着脱作業が終了した後は、前述した順序と逆の順序で分割円盤部８１をスライド及び回転させることによって、図８に示すように、オーディオ信号増幅装置９のノブ９０３の先端の位置が棚板５の前端の位置と略同一となった元の位置に戻すことができる。
【００３４】
以上に説明したように、本実施例の収納ラック１は、オーディオ信号増幅装置を収納する場合、先ず、収納するオーディオ信号増幅装置の前後方向の長さより僅かに長い部材となるように円盤部７を分割し、次に、この分割した部材の前端が回動部６前部の位置となるようにこの部材の下面に備える溝部７０１を回動部６の凸部６０２に嵌合させ、この部材の上面にオーディオ信号増幅装置を載置する。このことにより、オーディオ信号増幅装置の先端の位置を収納ラック１の前端の位置と略同一の位置とした状態で、このオーディオ信号増幅装置を収納ラック１に収納することができる。収納したオーディオ信号増幅装置の後面パネルに備える接続端子への接続ケーブルの着脱作業を行なう場合は、オーディオ信号増幅装置を載置した部材を後方へスライドさせた後、この部材を１８０°回転させ、更にこの部材を前方へ引くことによって、収納ラック１の前方から簡単に接続端子への接続ケーブルの着脱作業を行なうことができる。
【００３５】
これにより、収納ラック１へ収納するオーディオ信号増幅装置の前後方向の長さが、収納ラックの前後方向の長さより短い場合でも、オーディオ信号増幅装置の後面パネルの表面を収納ラックの前端よりも前方へスライドさせた状態で接続端子への接続ケーブルの着脱作業が行なえるので、作業者の手や腕が収納ラックの端部に当たってしまい、接続ケーブルの着脱作業が困難となってしまうことを防止することができる。
【００３６】
また、本実施例の収納ラック１は、収納ラック自体を前方へ移動させずとも、収納したオーディオ信号増幅装置を１８０°回転させ、オーディオ信号増幅装置の後面パネル９０２を前方へ向けた状態とすることができるので、収納ラック１の前方にテーブル等の障害物が設置されている場合でも、テーブルを収納ラックの前方から移動させることなく、簡単に接続端子への接続ケーブルの着脱を行うことができる。
【図面の簡単な説明】
【００３７】
【図１】本発明の収納ラックの一実施例の構成を示す斜視図。
【図２】棚板５の上面部分の構成を示す斜視図。
【図３】円盤部７の構成を示す上面図。
【図４】棚板５の円筒部５０２に回動部６の孔６０１が挿入され、回動部６の凸部６０２に円盤部７の溝部７０１が嵌合した状態を示す図で、図４（ａ）は上面図、図４（ｂ）は、図４（ａ）の収納ラック１を正面から見たときの断面図。
【図５】収納ラック１にオーディオ信号増幅装置９が収納された状態を示す図で、図５（ａ）は上面図、図５（ｂ）は、図５（ａ）の収納ラック１を正面から見たときの断面図。
【図６】収納ラック１の第１の部材８０１にオーディオ信号増幅装置９が載置された様子を示す図で、図６（ａ）は、図５（ａ）の状態から第１の部材８０１を後方へスライドさせた状態を示す上面図、図６（ｂ）は、図６（ａ）の状態から回動部６を１８０°回転させた状態を示す上面図。
【図７】図６（ｂ）の状態から第１の部材８０１を前方へスライドさせた状態を示す上面図。
【図８】収納ラック１に前後方向の長さが前述したオーディオ信号増幅装置９よりも長いオーディオ信号増幅装置１０が収納された状態を示す図で、図８（ａ）は上面図、図８（ｂ）は、図８（ａ）の収納ラック１を正面から見たときの断面図。
【図９】収納ラック１の分割円盤部８１にオーディオ信号増幅装置１０が載置された様子を示す図で、図９（ａ）は、図８（ａ）の状態から分割円盤部８１を後方へスライドさせた状態を示す上面図、図９（ｂ）は、図９（ａ）の状態から回動部６を１８０°回転させた状態を示す上面図。
【図１０】図９（ｂ）の状態から分割円盤部８１を前方へスライドさせた状態を示す上面図。
【図１１】従来の収納ラックを示す斜視図。
【符号の説明】
【００３８】
１  収納ラック、２  底板、３  側板、４  天板、５  棚板、
５０１  凹部、５０２  円筒部、６  回動部、６０１  孔、６０２  凸部、
７  円盤部、７０１  溝部、７０２  切り欠き、
８０１  第１の部材、８０２  第２の部材、８０３  第３の部材、８０４  第４の部材、
８０５  第５の部材、８０６  第６の部材、８０７  第７の部材、８１  分割円盤部、
９  オーディオ信号増幅装置、９０１  前面パネル、９０２  後面パネル、９０３  ノブ、
１０  オーディオ信号増幅装置、１０１  前面パネル、１０２  後面パネル、
１０３  ノブ、
１００  収納ラック、５０  棚板
【図１】
2006271578.tif 000003
【図２】
2006271578.tif 000004
【図３】
2006271578.tif 000005
【図４】
2006271578.tif 000006
【図５】
2006271578.tif 000007
【図６】
2006271578.tif 000008
【図７】
2006271578.tif 000009
【図８】
2006271578.tif 000010
【図９】
2006271578.tif 000011
【図１０】
2006271578.tif 000012
【図１１】
2006271578.tif 000013